(57)【要約】  本出願は、可燃性燃料を収容する燃料サプライと共に使用するようになされた飛翔昆虫トラップ・デバイスを開示するものである。本発明の１つの観点によれば、断続パルス化された燃料の流れを制御するための燃料レギュレータが提供される。また他の観点によれば、燃焼デバイスのフラッシングを可能にするためのバルブが提供される。
2007500515.tif 000002
【特許請求の範囲】
【請求項１】
可燃性燃料を収容する燃料サプライと共に使用するようになされた飛翔昆虫トラップ・デバイスであって、
昆虫トラップ室と、
前記燃料サプライとの接続のための入口ポート、排気ポート、および前記入口ポートを前記排気ポートに連絡している燃焼室を有する燃焼デバイスであって、前記入口ポートは、前記燃料サプライからの燃料が前記燃焼室内で燃焼するために前記燃焼室へ流入することを可能にし、それによって前記燃焼室内に排気ガスを生成する燃焼デバイスと、
前記燃焼デバイスの前記排気ポートと連絡している排気出口であって、前記排気ガス中の二酸化炭素に引き付けられた昆虫が前記トラップ・デバイスに向かって飛翔するように、前記排気ガスが前記排気出口を通って外に向かって流出するようになされた排気出口と、
前記燃焼デバイスの前記入口ポートと連絡している燃料サプライ・コネクタであって、前記燃料サプライに接続するように構築されており、それによって燃料を燃焼させるために前記燃焼室へ燃料を引渡すことを可能にしている燃料サプライ・コネクタと、
前記燃料サプライ・コネクタから分離され、且つ前記燃焼室と連絡しているフラッシング入口であって、流体を前記燃焼室へ流入させるように流体源に接続可能であり、それによって少なくとも前記燃焼室をフラッシングするフラッシング入口と、
（ａ）少なくとも前記燃焼室をフラッシングするために流体が前記フラッシング入口を介して前記燃焼室へ流入することを少なくとも可能にする開位置と、（ｂ）閉位置との間を移動することができる移動可能構造と、
前記昆虫トラップ室と連絡している昆虫入口であって、飛翔昆虫が前記昆虫入口を通って前記トラップ室へ入ることを可能にする昆虫入口と、
前記昆虫入口と連絡しているバキューム・デバイスであって、前記トラップ・デバイスに引き付けられた昆虫を、前記昆虫入口を通して前記昆虫トラップ室へ引き込むように構築および配置されたバキューム・デバイスと
を有する飛翔昆虫トラップ・デバイス。
【請求項２】
前記バルブが、前記流体の流入を許容し、且つ燃料および／または排気ガスの流出を阻止する一方向チェック・バルブである、請求項１に記載の飛翔昆虫トラップ・デバイス。
【請求項３】
前記バルブが取り外し可能カバーを有する、請求項２に記載の飛翔昆虫トラップ・デバイス。
【請求項４】
前記入口ポートを通して流れる燃料を制御するように動作可能なフロー・レギュレータをさらに有する、請求項２に記載の飛翔昆虫トラップ・デバイス。
【請求項５】
前記流体が前記燃料レギュレータ内に流入することができるように前記バルブが前記フロー・レギュレータと連絡しており、それによって前記燃焼室に加えて前記燃料レギュレータおよび前記入口ポートをフラッシングすることができる、請求項４に記載の飛翔昆虫トラップ・デバイス。
【請求項６】
前記燃焼デバイスが、前記燃焼室内に配置された触媒エレメントをさらに有し、該触媒エレメントは、前記燃焼室で生成された前記排気ガスが前記排気ポートに向かって流れることを可能にする本質的に直線の細長い複数のコンジットを備えた触媒ボディを有し、該触媒ボディは、動作中、前記排気ガスが前記細長いコンジットを通して流れる際に、前記排気ガス中の一酸化炭素を二酸化炭素に転換する触媒活性材料を含んでいる、請求項１に記載の飛翔昆虫トラップ・デバイス。
【請求項７】
前記燃焼デバイスが、前記触媒エレメントの上流側の前記燃焼室内に配置された乱れ緩和構造をさらに有し、該乱れ緩和構造は、前記触媒ボディの前記コンジットと同じ全体方向に配向された複数の開口を有し、該開口は、前記入口ポートからの燃料の流れを整え、それによって前記燃料の乱れを緩和するようになされている、請求項６に記載の飛翔昆虫トラップ・デバイス。
【請求項８】
前記乱れ緩和構造が触媒不活性ボディを有し、前記開口が、前記入口ポートからの前記燃料の流れを整えるための、前記触媒不活性ボディを貫通して形成された本質的に直線の細長い複数のコンジットを有している、請求項７に記載の飛翔昆虫トラップ・デバイス。
【請求項９】
前記乱れ緩和構造が、前記入口ポートと前記触媒不活性ボディの間の前記燃焼室内に配置された比較的薄いディフューザをさらに有し、前記開口が、前記ディフューザを貫通して形成された複数の孔をさらに有し、該孔が、前記入口ポートからの前記燃料の流れを最初に整えるようになされている、請求項８に記載の飛翔昆虫トラップ・デバイス。
【請求項１０】
前記排気出口に到達する前に前記排気ガスの温度を概ね周囲温度まで下げるための熱交換器をさらに有する、請求項１に記載の飛翔昆虫トラップ・デバイス。
【請求項１１】
前記バキューム・デバイスが単一のファンである、請求項１に記載の飛翔昆虫トラップ・デバイス。
【請求項１２】
前記フロー・レギュレータを制御するためのコントローラであって、動作中、前記フロー・レギュレータが前記入口ポートを通して一連の断続パルスで燃料を引き渡すように前記フロー・レギュレータを制御するように動作可能なコントローラをさらに有する、請求項１に記載の飛翔昆虫トラップ・デバイス。
【請求項１３】
飛翔昆虫トラップ・システムであって、
可燃性燃料を収容する燃料サプライと、
昆虫トラップ室と、
前記燃料サプライとの接続のための入口ポート、排気ポート、および前記入口ポートを前記排気ポートに連絡している燃焼室を有する燃焼デバイスであって、前記入口ポートは、前記燃料サプライからの燃料が前記燃焼室で連続的に燃焼するために前記燃焼室へ流入することを可能にし、それによって前記燃焼室内に排気ガスを生成する燃焼デバイスと、
前記燃焼デバイスの前記排気ポートと連絡している排気出口であって、前記排気ガス中の二酸化炭素に引き付けられた昆虫が前記トラップ・システムに向かって飛翔するように、前記排気ガスが前記排気出口を通って外に向かって流出するようになされた排気出口と、
前記燃焼デバイスの前記入口ポートと連絡している燃料サプライ・コネクタであって、燃料を燃焼させるために前記燃焼室へ燃料を引渡すことを可能にするように前記燃料サプライに接続された燃料サプライ・コネクタと、
前記燃料サプライ・コネクタから分離され、且つ前記燃焼室と連絡しているフラッシング入口であって、流体を前記燃焼室へ流入させるように流体源に接続可能であり、それによって少なくとも前記燃焼室をフラッシングするフラッシング入口と、
（ａ）少なくとも前記燃焼室をフラッシングするために流体が前記フラッシング入口を介して前記燃焼室へ流入することを少なくとも可能にする開位置と、（ｂ）閉位置との間を移動することができる移動可能構造と、
前記昆虫トラップ室と連絡している昆虫入口であって、飛翔昆虫が前記昆虫入口を通って前記トラップ室へ入ることを可能にする昆虫入口と、
前記昆虫入口と連絡しているバキューム・デバイスであって、前記トラップ・システムに引き付けられた昆虫を、前記昆虫入口を通して前記昆虫トラップ室へ引き込むように構築および配置されたバキューム・デバイスと
を有する飛翔昆虫トラップ・システム。
【請求項１４】
前記バルブが、前記流体の流入を許容し、且つ燃料および／または排気ガスの流出を阻止する一方向チェック・バルブである、請求項１３に記載の飛翔昆虫トラップ・システム。
【請求項１５】
前記バルブが取り外し可能カバーを有する、請求項１４に記載の飛翔昆虫トラップ・システム。
【請求項１６】
前記入口ポートを通して流れる燃料を制御するように動作可能なフロー・レギュレータをさらに有する、請求項１４に記載の飛翔昆虫トラップ・システム。
【請求項１７】
前記流体が前記燃料レギュレータ内に流入することができるように前記バルブが前記フロー・レギュレータと連絡しており、それによって前記燃焼室に加えて前記燃料レギュレータおよび前記入口ポートをフラッシングすることができる、請求項１６に記載の飛翔昆虫トラップ・システム。
【請求項１８】
前記燃焼デバイスが、前記燃焼室内に配置された触媒エレメントをさらに有し、該触媒エレメントは、前記燃焼室で生成された前記排気ガスが前記排気ポートに向かって流れることを可能にする本質的に直線の細長い複数のコンジットを備えた触媒ボディを有し、該触媒ボディは、動作中、前記排気ガスが前記細長いコンジットを通して流れる際に、前記排気ガス中の一酸化炭素を二酸化炭素に転換する触媒活性材料を含んでいる、請求項１３に記載の飛翔昆虫トラップ・システム。
【請求項１９】
前記燃焼デバイスが、前記触媒エレメントの上流側の前記燃焼室内に配置された乱れ緩和構造をさらに有し、該乱れ緩和構造は、前記触媒ボディの前記コンジットと同じ全体方向に配向された複数の開口を有し、該開口は、前記入口ポートからの燃料の流れを整え、それによって前記燃料の乱れを緩和するようになされている、請求項１８に記載の飛翔昆虫トラップ・システム。
【請求項２０】
前記乱れ緩和構造が触媒不活性ボディを有し、前記開口が、前記入口ポートからの前記燃料の流れを整えるための、前記触媒不活性ボディを貫通して形成された概ね直線の細長い複数のコンジットを有している、請求項１９に記載の飛翔昆虫トラップ・システム。
【請求項２１】
前記乱れ緩和構造が、前記入口ポートと前記触媒不活性ボディの間の前記燃焼室内に配置された比較的薄いディフューザをさらに有し、前記開口が、前記ディフューザを貫通して形成された複数の孔をさらに有し、該孔が、前記入口ポートからの前記燃料の流れを最初に整えるようになされている、請求項２０に記載の飛翔昆虫トラップ・システム。
【請求項２２】
前記排気出口に到達する前に前記排気ガスの温度を概ね周囲温度まで下げるための熱交換器をさらに有する、請求項１３に記載の飛翔昆虫トラップ・システム。
【請求項２３】
前記可燃性燃料がプロパンである、請求項１３に記載の飛翔昆虫トラップ・システム。
【請求項２４】
前記バキューム・デバイスが単一のファンである、請求項１３に記載の飛翔昆虫トラップ・システム。
【請求項２５】
前記フロー・レギュレータを制御するためのコントローラであって、動作中、前記フロー・レギュレータが前記入口ポートを通して一連の断続パルスで燃料を引き渡すように前記フロー・レギュレータを制御するように動作可能なコントローラをさらに有する、請求項１３に記載の飛翔昆虫トラップ・システム。
【請求項２６】
前記移動可能構造がバルブを含む、請求項１に記載の飛翔昆虫トラップ・デバイス。
【請求項２７】
前記バルブが一方向バルブである、請求項２６に記載の飛翔昆虫トラップ・デバイス。
【請求項２８】
前記移動可能構造が、前記フラッシング入口を取り外し可能にカバーするキャップを含む、請求項１に記載の飛翔昆虫トラップ・デバイス。
【請求項２９】
前記移動可能構造がバルブを含む、請求項１３に記載の飛翔昆虫トラップ・システム。
【請求項３０】
前記バルブが一方向バルブである、請求項２９に記載の飛翔昆虫トラップ・システム。
【請求項３１】
前記移動可能構造が、前記フラッシング入口を取り外し可能にカバーするキャップを含む、請求項１３に記載の飛翔昆虫トラップ・システム。
【請求項３２】
支持フレームをさらに有し、前記昆虫トラップ室、前記燃焼デバイスおよび前記排気出口が前記支持フレーム上に支えられている、請求項１に記載の飛翔昆虫トラップ・デバイス。
【請求項３３】
支持フレームをさらに有し、前記昆虫トラップ室、前記燃焼デバイスおよび前記排気出口が前記支持フレーム上に支えられている、請求項１３に記載の飛翔昆虫トラップ・システム。
【請求項３４】
飛翔昆虫トラップ・デバイスをフラッシングするための方法であって、前記トラップ・デバイスが、（ａ）昆虫トラップ室と、（ｂ）燃料サプライとの接続のための入口ポート、排気ポート、および前記入口ポートを前記排気ポートに連絡している燃焼室を有する燃焼デバイスであって、前記入口ポートは、前記燃料サプライからの燃料が前記燃焼室内で燃焼するために前記燃焼室へ流入することを可能にし、それによって前記燃焼室内に排気ガスを生成する燃焼デバイスと、（ｃ）前記燃焼デバイスの前記排気ポートと連絡している排気出口であって、前記排気ガス中の二酸化炭素に引き付けられた昆虫が前記トラップ・デバイスに向かって飛翔するように、前記排気ガスが前記排気出口を通って外に向かって流出するようになされた排気出口と、（ｄ）前記燃焼デバイスの前記入口ポートと連絡している燃料サプライ・コネクタであって、前記燃料サプライに接続するように構築されており、それによって燃料を燃焼させるために前記燃焼室へ燃料を引渡すことを可能にしている燃料サプライ・コネクタと、（ｅ）前記燃料サプライ・コネクタから分離され、且つ前記燃焼室と連絡しているフラッシング入口であって、流体を前記燃焼室へ流入させるように流体源に接続可能であり、それによって少なくとも前記燃焼室をフラッシングするフラッシング入口と、（ｆ）前記昆虫トラップ室と連絡している昆虫入口であって、飛翔昆虫が前記昆虫入口を通って前記トラップ室へ入ることを可能にするための昆虫入口と、（ｇ）前記昆虫入口と連絡しているバキューム・デバイスであって、前記トラップ・デバイスに引き付けられた昆虫を、前記昆虫入口を通して前記昆虫トラップ室へ引き込むように構築および配置されたバキューム・デバイスと
を有している飛翔昆虫トラップ・デバイスのフラッシング方法において、
前記流体源を前記フラッシング入口に接続するステップと、
前記燃焼室をフラッシングするために、前記流体源から前記フラッシング入口を介して前記燃焼室へ流体を流すステップと
を含むフラッシング方法。
【発明の詳細な説明】
【技術分野】
【０００１】
本出願は、その全体が本出願に組み込まれる２００３年５月２７日に出願された米国特許出願第１０／４４５，１９９号の優先権を主張するものである。
【０００２】
本発明は、哺乳動物が発散する二酸化炭素に引き付けられる、蚊、ヌカカなどの飛び回る虫、および他の昆虫を捕らえるためのシステムに関するものである。
【背景技術】
【０００３】
毎年、蚊が媒介する病気によって３００百万人以上が死亡し、３億人以上が病院で治療を受けている。蚊が媒介するこのような病気の治療に関連する世界中の費用は、優に数十億ドルを超えるものと予想される。蚊は、多くの地域で、マラリア、黄熱、デング熱、脳炎、西ナイル・ウイルス、睡眠病、糸状虫感染症（フィラリア症）、発疹チフスおよびペストなどの身体を衰弱させる病気の主な伝搬者である。蚊が媒介する病気は、ヒトに病気や死をもたらすだけでなく、家畜の病気に起因する家畜産業の経済損失の主な原因である。また、蚊が媒介する病気は、観光旅行による収入に依存している地域に、以前には存在しなかった関心をもたらしている。特に、所与の地域におけるこのような病気の存在は、観光旅行の行先としてその地域を進んで選択しようとする観光旅行者の意思に大きな影響を及ぼすものと思われる。
【０００４】
また旅行の増加および国際貿易の増加に伴い、このような病気のいくつかは、米国大陸などにおける大きな健康問題に発展することが予想される。例えばヨーロッパおよび北アメリカの温和な地域への西ナイル・ウイルスの出現がこの予想を助長しており、これは大衆、ウマおよび動物の健康に対する脅威である。この西ナイル・ウイルスの出現により、ヒトおよびウマが脳炎（脳の炎症）に冒され、また家畜および野生の鳥が死ぬ可能性がある。
【０００５】
１９９５年に、カリフォルニアおよびニュージャージーでマラリアの風土病の症例が記録されており、また南テキサスでいくつかのデング熱の症例が診断されている。１９９６年９月には、東部ウマ脳炎を媒介する空前の数の蚊がロードアイランドで発生している。試験の結果、捕獲した１００匹の蚊のうちの１匹が、死亡率３０％〜６０％の致死ウイルスを媒介していることが分かった。ロードアイランドの場合、事態は非常に深刻で、政府は非常事態を宣言している。１９９７年にはフロリダでも同様の状況が発生し、セントルイス脳炎が大発生している。
【０００６】
デング熱は、蚊が媒介する病気の中でも、世界的な規模でますます問題になりつつあるとりわけ危険な病気であり、やがては、蚊が媒介し且つヒトに影響する最も重大な病気としてマラリアを凌ぐことになるものと思われる。デング熱の世界的な分布は、マラリアの世界的な分布に匹敵しており、２５億人が流行性媒介の危険地域に住んでいると予測される。毎年、数百万の症例が発生しており、数千の症例のうち、最大数百のデング出血熱（ＤＨＦ）の症例が診断されている。ほとんどの国のＤＨＦの症例致死率は約５％であり、子供の致死率が最も高い。
【０００７】
デング熱が西半球で知られるようになったのは、比較的最近になってからである。１９７０年代に、キューバ全体およびカリブ海の他の地域にデングが流行した。１９８１年に、キューバで出血熱を伴う第２の血清型が発生した。この第２の血清型の流行によって３００，０００件を超える出血熱の症例が発生し、１，０００人以上が死亡したが、そのほとんどは子供であった。１９８６年までには、南アメリカの他の国々およびメキシコで、デング熱の著しい発生が見られるようになった。１９９８年の夏には、バルバドスの島で新たに発生した。
【０００８】
アメリカ本土に関しては、１９９５年の最初の８ヶ月の間に、中央アメリカで２４，０００件に近いデング熱の症例が報告されており、この中には３５２件の出血熱の症例が含まれている。エルサルバドルは、１９９５年の広範囲に渡るこの病気の蔓延のため、国家非常事態を宣言している。メキシコでもまた１９９５年に約２，０００件の症例が記録されており、そのうちの３４件は出血熱である。全米保険機構の報告によれば、総合すると、ほぼ２００，０００件のデングの症例、および５，５００件を超える出血性デング熱の症例がアメリカに存在している。図１Ａは、２０００年の世界中のデングの分布を示したもので、図１Ｂは、アメリカで報告されているデング症例の最近の増加を示したものである。
【０００９】
昆虫学者は、米国に対するデング熱の脅威の増加に大いに関心を寄せている。この関心は、一部には、最近になって到着したヒトスジシマカとして知られている蚊の種の存在によるものである。ヒトスジシマカ（その明るい縞模様および攻撃的な食いつきによって「タイガーモスキート」とも呼ばれる）は、１９８５年に米国テキサス州のハリス地方で最初に発見されたもので、歴史的には、このタイガーモスキートは、アジアにおけるデング熱の主な伝搬者であるが、タイガーモスキートが米国にもたらされたのは、日本からの古タイヤの出荷に溯るとされている。１９９１年に、フロリダのオーランドにあるウォルト・ディズニー・ワールドから西へちょうど１２マイルのタイヤの山で発見された複数の群のタイガーモスキートから東部ウマ脳炎ウイルスが発見された。
【００１０】
１９９６年２月の時点で、確立されたタイガーモスキートの個体群が２４の州で記録されている。最も警告的であるのは、タイガーモスキートが今や北はオハイオ、ニュージャージーおよびネブラスカまでの州で生き延びる能力があることが立証されていることである。ネッタイシマカとは異なり、タイガーモスキートの卵は、極めて寒い冬を生き延びることができるため、タイガーモスキートは、米国の相当な部分に病気をもたらす大きな能力を有している。タイガーモスキートは、イリノイ州のプラスキ地方に既に迷惑および危険をもたらしており、この地方での昆虫の食いつき回数は、１分当たり２５回に及んでいる。米国の中部地方では、この種は、しばしば死病であるラクロス脳炎の媒介とリンクしている。
【００１１】
添付の図１Ｃ〜１Ｆは、蚊によってもたらされるこれらの病気の米国内における分布を示したものである。図１Ｃは、１９６４年と１９９７年の間に米国で確認されたヒト・ラクロス脳炎症例および推定ヒト・ラクロス脳炎症例の分布を示したものである。図１Ｄは、米国における１９６４年と１９９８年の間のヒト・セントルイス脳炎症例の分布を示したものである。図１Ｅは、１９６４年と１９９７年の間に米国で確認されたヒト西部ウマ脳炎症例および推定ヒト西部ウマ脳炎症例の分布を示したものである。また、図１Ｆは、１９６４年と１９９７年の間に米国で確認されたヒト東部ウマ脳炎症例および推定ヒト東部ウマ脳炎症例の分布を示したものである。これらの図から分かるように、米国全体に広範囲に渡ってこれらの病気が分布しており、このことは、これらの病気がさらに拡大することに対する昨今の大衆の関心の元になっている。
【発明の開示】
【発明が解決しようとする課題】
【００１２】
これまで、蚊の個体群の数を制御するため、あるいは蚊を撃退するための多くの方法が提案されてきた。以下、これらの方法の実施例について考察するが、以下の考察から理解されるように、これらの方法の各々には重大な欠点があり、その欠点がこれらの方法を非現実的あるいは非効果的なものにしている。
【００１３】
蚊の個体群の数を抑制するためのよく知られている方法の１つは、ＤＤＴおよびマラチオンなどの化学殺虫剤の使用である。蚊の殺虫剤には、基本的には成虫殺虫剤と幼虫駆除剤の２種類の殺虫剤を利用することができる。成虫殺虫剤は、成虫の段階まで成長した蚊を殺すために使用される化学薬品である。飛行機あるいは自動車両から、主として蔓延している領域に噴霧される。噴霧される化学薬品の効力は、通常、風、温度、湿度、時刻、使用する化学薬品に対する特定の蚊の抵抗力、および特定の化学薬品の基本効能に左右される。成虫殺虫剤は、雨、潮の充満、あるいは他の周期的な卵の孵化誘因によってもたらされる成虫の世代毎に適用しなければならず、また典型的な有効期間は、わずかに半日である。したがってこれらの化学薬品は、成虫蚊との最大接触を期待することができる時間に適用しなければならない。
【００１４】
一方、幼虫駆除剤は、成虫蚊になる前の幼虫を殺すために水源に適用される。幼虫駆除剤は、通常、（１）水の表面に適用される、幼虫の呼吸を妨げ、延いては溺死させる油、（２）幼虫を攻撃して殺すＢＴＩ（バチルス・サリンジエンシス・イスラエレンシス）のようなバクテリア、あるいは（３）幼虫の成虫段階への成長を防止する化学昆虫成長調整物質（例えばメトプレン）の３つの種類のうちの１つの形態である。しかし、幼虫駆除剤は、様々な理由で、必ずしもとりわけ有効ではないことが多い。例えば、ほとんどの幼虫駆除剤は、その効能期間が短く、また未成熟の蚊が特定の成長段階にある間に水に適用しなければならない。また、ツリー・ホール・ブリーダ、ルート・スワンプ・ブリーダおよびキャットテール・マーシュ・ブリーダなどのいくつかの蚊の種は、幼虫が表面に上がってこない（例えばキャットテール・マーシュ蚊）ので、あるいは幼虫駆除剤を経済的に適用するように水源を位置付けることが極めて困難である（例えばツリー・ホール）ので、幼虫駆除剤を使用しても容易に制御することはできない。また、西ナイル・ウイルスを運ぶ蚊（イエカ属ピッピエンス）は、ヒトの周りの側溝、地下排水路、植木鉢、水盤などの中で生きて繁殖する。したがってこのような領域を目標にすることは事実上困難であるため、殺虫剤の噴霧は非現実的であるばかりでなく、家の直ぐ近くで化学殺虫剤を使用することは、多くの人々にとって不快である。
【００１５】
化学殺虫剤は、そのいわゆる効力に無関係に、あるいは効力の欠如に無関係に、米国および世界中でその使用が劇的に減少している。その主な理由は、殺虫剤の使用による健康に対する潜在的な障害に大衆が気付いたことによるものである。詳細には、ＤＤＴなどの特定の化学薬品による長期間に渡る健康障害に対する一般大衆の認識が、米国および他の国々の主要な地域における、蚊を制御するための化学薬品の使用禁止を導いたのである。また、殺虫剤に対する蚊の抵抗力が強くなったため、従来使用されている化学薬品の有効性が減少し、大衆の健康に対する障害と比較すると、化学殺虫剤の予想利益を支持する論議は、重要さの点で劣っている。
【００１６】
自然界の捕食者も、ある程度、蚊の個体群の数を制御している。例えば、ある種の魚類およびトンボ（幼虫および成虫）は、蚊の幼虫および成虫に対して捕食性であることが報告されている。また、ある種のコウモリおよび鳥も蚊に対して捕食性であることが知られている。蚊の個体群の数を制御するための環境的に安全な手段として自然界の捕食者に頼るべきである、という考え方がある種の人々、とりわけ化学殺虫剤の使用に反対の人々によって支持されているが、残念なことに、これまでのところ、自然界の捕食者を利用して蚊の個体群の数を効果的に制御する試みには効果がないことが分かっている。例えば１９２０年代の間、サウスの３つの都市で大型のコウモリ塔が、これらのコウモリ塔を棲家とするコウモリが蚊の個体群の数を制御してくれるであろうという大きな期待を込めて建てられたが、これらのコウモリ塔は、局地的な蚊の個体群の数を適切に制御するには有効ではなかった。コウモリの胃の含有物を調査した結果、コウモリの餌に閉める蚊の割合は１％に満たないことが分かった。
【００１７】
多くの人々は、忌避剤を利用して身の周りあるいは特定の領域から蚊を遠ざけている。これらの忌避剤は、その性質上、忌避剤の使用者に一時的な安らぎを単純に提供しているだけであり、蚊の個体群の数の実際の制御には何ら関与していない。忌避剤には、局所タイプのものと、気中タイプのものがあり、ローション、スプレイ、オイル（すなわち肌に非常に優しい）、蚊取り線香、蝋燭（例えばシトロネラ）を始めとする多くの形態とすることができる。最も一般的な忌避剤（ローション、スプレイおよびオイル）は、衣服あるいは身体に使用される忌避剤である。これらの忌避剤の多くは、それ自体が実際に蚊を「追い払って」いるのではなく、忌避剤の中には、ホストに蚊を引き付ける要因（二酸化炭素、湿気、暖かみおよび乳酸）を単純にマスクしているだけのものもある。これらの忌避剤は、概ね安価であるが、においが不快で、ぬるぬるしており、また、効果の持続期間がごく限られていることが多い。また、ＤＥＥＴあるいはエチル・ヘキサンジオールを含有した忌避剤は、一定の時間期間が経過すると実際に蚊を引き付けるようになることが分かっている。したがって忌避剤を使用する場合、保護期間が経過すると、忌避剤を洗い流すか、あるいは新しい忌避剤を再塗布することが賢明である。
【００１８】
不快であるだけでなく、多くの忌避剤は、忌避剤がもたらす長期間に渡る潜在的な健康障害に対する厳密な精査の対象になりつつある。多くの昆虫学者が、利用可能な最良の忌避剤であると見なしているＤＥＥＴは、市場に出てから３０年以上になり、よく知られている多くの商用スプレイおよびローションの主成分として使用されている。ＤＥＥＴは、長期間に渡って広く使用されているにもかかわらず、米国環境保護局（ＥＰＡ）は、ＤＥＥＴには、発癌性、先天性異常、および生殖上の問題があり得るとしている。実際、ＥＰＡは、１９９０年８月に発行した消費者公報の中で、わずかではあるが人口の一部はＤＥＥＴに敏感であることに言及している。反復適用（特に年少の子供に対する反復適用）は、場合によっては、頭痛、情緒不安定、錯乱、吐き気、筋肉痙攣、発作あるいは人事不省の原因になることがある。
【００１９】
蚊取り線香は、蚊を追い払う手段として永年に渡って販売されている。これらの蚊取り線香を燃やすと、蚊を追い払う煙が放出される。２０数年前に製造されていた製品は、化学アレトリンを含有したレイド・モスキート・コイル（Ｒａｉｄ  Ｍｏｓｑｕｉｔｏ  Ｃｏｉｌｓ）という商品名のものであった。最近の製品は、オフヤード＆パティオ・バグ・バリヤ（ＯＦＦ  Ｙａｒｄ  ＆  Ｐａｔｉｏ  Ｂｕｇ  Ｂａｒｒｉｅｒｓ）という商品名で、化学エスビオトリンを含有している。これらの製品は、蚊の活動力をいくらか弱くすることはできるが、地域における蚊の数を減少させることはなく、また付近に煙および化学物質を放出している。また、ごくわずかな微風でも、煙および化学物質が広範囲に渡って分散して希釈され、その効果が減少するため、製品の潜在効果が消失する。
【００２０】
また、多くの人々は、蝋燭の形態であれ、植物の形態であれ、香料あるいは他のメカニズムの形態であれ、蚊を追い払うシトロネラの効能を褒めちぎっているが、最近の研究によれば、シトロネラをベースとする製品の蚊を追い払い効果はごく弱いものでしかなく、したがって効果があるのは、保護領域の周囲に９１．４４ｃｍ（３フィート）置きに蝋燭を立てた場合のみであることが分かっている。このような取り扱いをした場合でも、その効果は、保護領域の周囲で普通の蝋燭を燃やした場合の効果と比較してごくわずかに優っているだけである。実際、蝋燭を燃やすことは、それによって空気中の二酸化炭素の量が増加するため、その領域の蚊の数が減少するどころか、その反対により多くの蚊を一般領域に引き付けることになるとされている。これらの欠点にもかかわらず、現在の市場には、シトロネラをベースとする製品が極めて多量に出回っている。
【００２１】
商用的に最初に成功したのは、１９７０年代の後半の「バグ・ザッパー」と呼ばれる周知の「ブラック・ライト」感電死デバイスの導入である。総合的には蚊を殺す効果はないが、バグ・ザッパーは、現在のレートで年間２，０００，０００ユニットが販売されている。これらのデバイスの蚊を殺す無能力性は、学術的な研究および多くのバグ・ザッパー所有者の個人的な経験によって証明されている。詳細には、感電死デバイスによってほとんどの種類の蚊が引き付けられるわけではないため、感電死デバイスは蚊を殺しはしない。その理由は、これらのデバイスによって引き付けられる昆虫は、光に引き付けられる昆虫のみであり、ほとんどの種類の蚊は、光に引き付けられないことによるものである。
【００２２】
米国特許第６，１４５，２４３号明細書（「‘２４３号特許」）に、本出願の譲受人である、ロードアイランド州イースト・グリーンウィッチ在所のアメリカン・バイオフィジック社（Ａｍｅｒｉｃａｎ  Ｂｉｏｐｈｙｓｉｃｓ  Ｃｏｒｐｏｒａｔｉｏｎ）によって開発された昆虫トラップ・デバイスが開示されている。‘２４３号特許のデバイスは、蚊および他の飛翔昆虫をデバイスの入口に引き付けるための二酸化炭素の流れを生成するデバイスの基本構造を開示している。入口を介して二酸化炭素によって引き付けられた昆虫が、真空（すなわち吸引、陰圧、またはバキューム力）によってトラップ室に吸い込まれる。トラップ室は、使い捨てメッシュ・バッグを含み、その中で蚊が脱水される。バッグが一杯になると、取り外して交換することができる。
【００２３】
‘２４３号特許に開示されているデバイスは、アメリカン・バイオフィジック社にとっては商用的に成功したが、本出願の発明者によるさらなる製品開発努力により、‘２４３号特許のデバイスの製造コストの低減および動作効率を対象とした多くの改善がなされた。これらの改善のいくつかが、本出願の譲受人である、ロードアイランド州イースト・グリーンウィッチ在所のアメリカン・バイオフィジック社から商用的に入手可能なモスキート・マグネット・リバティー（Ｍｏｓｑｕｉｔｏ  Ｍａｇｎｅｔ  Ｌｉｂｅｒｔｙ（登録商標））昆虫トラップ・デバイスで実施された。本出願は、この技術をさらに改善するよう努力したものである。
【課題を解決するための手段】
【００２４】
本発明の１つの観点によれば、有利なバルブ・アセンブリを有する飛翔昆虫トラップ・デバイスが提供される。このデバイスは、可燃性燃料を収容する燃料サプライと共に使用するようになされている。デバイスは、支持フレームと、支持フレームに支えられた昆虫トラップ室と、支持フレームに支えられた燃焼デバイスとを有している。燃焼デバイスは、燃料サプライに接続するための入口ポートと、排気ポートと、入口ポートを排気ポートに連絡している燃焼室とを有している。入口ポートは、燃料を燃焼室で燃焼させることによって燃焼室内に排気ガスを生成するように、燃料サプライからの燃料が燃焼室へ流入することを可能にしている。このデバイスは、フレームに支えられた排気出口をさらに有している。この排気出口は、燃焼デバイスの排気ポートと連絡しており、排気ガス中の二酸化炭素に引き付けられた昆虫が前記排気出口に向かって飛翔するように、排気ガスが前記排気出口を通って外に向かって流出するようになされている。このデバイスは、燃焼室と連絡したバルブをさらに有している。このバルブは、流体源との接続が可能であり、それによって燃焼室をフラッシングするための流体を燃焼室内へ流入させることができる。昆虫トラップ室と連絡した昆虫入口が、この昆虫入口を介して飛翔昆虫がトラップ室へ取り込まれることを可能にしている。また昆虫入口と連絡した真空デバイス（バキューム・デバイス）であって、昆虫入口を介して排気出口へ引き付けられた昆虫を昆虫トラップ室へ吸い込むように構築および配置された真空デバイスが提供されている。
【００２５】
本発明の他の目的、特徴および利点は、以下の詳細な説明、添付図面および特許請求の範囲の記載から明らかになるであろう。
【実施例】
【００２６】
図２は、本発明に従って構築された、一括して１０で示す例示的飛翔昆虫トラップ・デバイスを斜視図で示したものである。デバイス１０は、バーベキュ・グリルに燃料を供給するために消費者がいつも使用しているタイプのプロパン・タンク１２などの可燃性燃料サプライと共に使用するように設計されている。デバイス１０の一般的な機能は、概して言えば、蚊や、肉に食いつき且つ二酸化炭素に引き付けられる他の昆虫を引き付けるための二酸化炭素の含有量が増加した排気ガスを放出すること、次に、引き付けた昆虫を流入によってデバイス内のトラップ室に吸い込み、そこで昆虫を捕獲して、毒または脱水／餓死によって殺すことである。別法として、昆虫の研究に携わっている使用者は、生きた状態で調査するために、捕獲した昆虫を殺す代わりに、昆虫が死ぬ前にデバイス１０から除去することができる。使用者が抱いている特定の昆虫を捕獲する目的が何であれ、デバイス１０の総合的な機能は、飛翔昆虫を引き付けて捕獲することである。以下、本明細書において、この広義の一般機能を達成するための本発明の動作方法について、その詳細を考察する。
【００２７】
デバイス１０は、一括して１４で示す支持フレーム構造を有している。支持フレーム構造１４は、一組の脚１７に支持されたハウジング１６を含む。図に示す実施例では、ハウジング１６は、２本の脚１７を使用して支持されるが、支持フレーム構造１４は、本明細書において以下で考察する動作コンポーネントを支えるための適切な任意の構造もしくは構成にすることができ、例えば三脚構造を使用することも可能である。また支持フレームは、図２に示すように、また、参照によりその全体が本出願に組み込まれる前述の米国特許第６，１４５，２４３号明細書に示される車輪１５を含んでいてもよい。さらに、支持フレーム構造１４は、プロパン・タンク１２を運ぶための支持デッキ１９を有していてもよく、したがって同じく図２に示すように、また‘２４３号特許に示されているように、プロパン・タンク１２およびデバイス１４を１つのユニットとして一体で運ぶことができる。
【００２８】
ハウジング１６には、底部シェル１８および頂部シェル２０が取り付けられている。底部シェル１８および頂部シェル２０は、従来の留め具、接着剤、スナップ・フィット関係もしくは他の適切な任意の方法を使用して一体に結合され、固着されている。図に示す実施例では、これらのシェル１８および２０は、プラスチックから成形されているが、通常、これらのシェル１８、２０およびハウジング１６は、任意の材料を使用して構築することができ、また任意の形状、構成もしくは構造にすることができる。
【００２９】
管状吸込みノズル２２は、底部シェル１８から下に向かって突出し、底部シェル１８と一体に形成されている。吸込みノズル２２は、裾が広がった下部端部２４を有している。この下部端部２４は、留め具もしくはスナップ・フィッティングによって取り付けられており、したがって吸込みノズル２２の一部を形成している。裾が広がった下部端部２４は、昆虫入口２６を画成している。以下に示す詳細説明で理解されるように、吸込みノズル２２に真空（バキューム力）が適用され、デバイス１０から放出される二酸化炭素に引き付けられた昆虫が昆虫入口２６に吸い込まれて捕獲される。吸込みノズル２２および吸込みノズル２２に設けられた昆虫入口２６は、支持フレーム構造１４上に適切な任意の方法で支えることができ、図に示し、且つ上で説明した構造は、単なる例示的構造にすぎない。したがって他の構成を使用することができる。
【００３０】
出口ノズル２８は、吸込みノズル２２の内部に同心で取り付けられている。出口ノズル２８は、その下部端部に排気出口３０を提供する。出口ノズル２８およびその排気出口３０の機能は、二酸化炭素を含んだ排気ガスの「プルーム（柱状噴流）」が出口ノズル２８および排気出口３０の外に向かって、且つ、下に向かって流れるようにすることである。下に向かう排気ガスの流れが地面に達すると、排気ガスは、デバイス１０の外側に向かって地面に沿って放射状に流れる。デバイス１０から遠く離れた二酸化炭素に引き付けられた蚊および他の昆虫は、二酸化炭素のこの放射状のプルームを知覚し、その源、すなわち排気出口３０までこのプルームを辿ることになる。開示されている構造から理解されるように、出口ノズル２８と吸込みノズル２２は同心であるため、引き付けられた昆虫は、二酸化炭素をその源（すなわち排気出口３０）まで追従し、したがって昆虫は、排気出口３０に到達すると、たちまち昆虫入口２６と隣り合わせになる。その結果、引き付けられた昆虫は、吸込みノズル２２およびその昆虫入口２６まで連絡している真空によって生成された真空ゾーンへ直接飛翔し、それによりデバイス１０の中へ吸込まれ、捕獲される。図３に示す流入矢印および流出矢印は、それぞれ真空吸込みの流れおよび流出する排気ガスの流れを示したものである。開示した構造のこの観点に関する詳細および変形例については、本出願に組み込まれる‘２４３号特許を参照されたい。また、それぞれ参照によりその全体が同じく本出願に組み込まれる１９９６年９月１７日出願の米国特許第６，２８６，２４９号明細書、および米国特許仮出願第６０／３２６，７２２号に対する優先権を主張した米国特許出願第１０／２６４，２６０号を参照されたい。
【００３１】
ハウジング１６の上部シェル２０は、開位置と閉位置の間を移動させることができるアクセス・ドア３２を含み、ハウジング壁に形成されたアクセス開口３４を開閉することができる。図４は、アクセス・ドア３２およびアクセス・ドア３２によって開閉されるアクセス開口３４を最も良好に示したものである。アクセス・ドア３２は、上部シェル２０にピボット式に取り付けられており、アクセス開口３４の上部エッジに隣接して上部シェル２０に形成された開口（図示せず）に、アクセス・ドア３２の上端部のピボット・ピン３６を挿入することによってアクセス・ドア３２の開閉運動を容易にしている。本発明のより一般的な観点では、アクセス・ドア３２をハウジング１６から完全に切り離すことができ、あるいは開閉運動のための適切な任意の構造を使用した接続が可能である。実際、アクセス・ドア３２は必ずしも必要ではなく、図に示すアクセス・ドア３２は、便宜上の単なる機能の１つにすぎない。開口３４の周囲に沿って変形可能ガスケット３８が取り付けられており、アクセス・ドア３２と開口３４の周囲の間にシールを提供している。アクセス・ドア３２および関連する開口３４の役割は、使用者によるハウジング１６の内部へのアクセスを可能にすることである。
【００３２】
以下でさらに詳細に説明するように、ハウジング１６内には、内部に昆虫トラップ室を画成するメッシュ・バッグ４０が取り外し可能に取り付けられている。メッシュ・バッグ４０によって画成される昆虫トラップ室は、昆虫入口２６と連絡しているため、真空によって吸い込まれた昆虫がメッシュ・バッグ４０の中に堆積し、そこで脱水して死ぬことになる。別法として、毒物を使用してメッシュ・バッグ４０の材料を処理し、昆虫を死滅させる機能を容易にすることができるが、これは必ずしも本発明に必要な機能ではない。アクセス・ドア３２および関連する開口３４は、ハウジング１６の内部へのアクセスを可能にし、必要に応じて、取り外し／交換のための使用者によるメッシュ・バッグ４０へのアクセスを可能にする。また、他の代替として、メッシュ・バッグ４０の代わりにプラスチック・ボックスもしくは適切な他の任意の構造を使用することも可能である。開示する実施例では、アクセス・ドア３２は透明な材料でできており、取り外し／交換の必要性の有無を決定するために、使用者によるメッシュ・バッグ４０の目視検査を可能にしている。詳細には、透明な材料は、メッシュ・バッグ４０が昆虫で満杯であるか、あるいは満杯に近いかどうかの使用者による目視確認を可能にする。本発明のより一般的な観点では、アクセス・ドア３２は必ずしも透明である必要はなく、また上で言及したように、このデバイスにはアクセス・ドア３２および関連する開口３４は必ずしも必要ではない。
【００３３】
図５は、ハウジング１６の内部のコンポーネントを斜視図で示したもので、分かり易くするために、メッシュ・バッグ４０および上部シェル２０は除去されている。また図６は、これらのコンポーネントを組立分解図で示したものである。これらの内部コンポーネントには、一括して５０で示す燃焼／熱交換器デバイス、ファン・プレナム５２、電動ファン５４およびパーティション構造５６が含まれる。底部シェル１８は、一体成形されたリブ５８であって、燃焼／熱交換器デバイス５０を取り付けるための比較的平らな領域を画成する一連のリブ５８を備えている。また底部シェル１８はさらに、一対の開口６０および６２を備えている。開口６０は、可燃性燃料、好ましくはプロパンを燃焼／熱交換器デバイス５０に供給するために、レギュレータ・ホース６４を挿入して燃焼／熱交換器デバイス５０に接続するためのものである。開口６２は、図６に示すように、コントローラ７０への電源コード６６（遠位端に取り付けられた標準のアウトレット・プラグ６８と共に示されている）の接続を容易にするためのものである。コントローラ７０は、パーティション構造５９の頂部に取り付けられる。またこのパーティション構造は、メッシュ・バッグ４０とファン５４の接触を防止するための格子障壁すなわちバッフル５７を支持する役割を果たしている。またダクト５６がメッシュ・バッグ４０と吸込みノズル２２の間を連絡し、入口２６からメッシュ・バッグ４０への連続した流路を提供する。さらに、燃焼／熱交換器デバイス５０を通過する空気をデバイス１０から確実に排気するためのフィルタ６１が提供される。このフィルタは金属メッシュ織物でできているが、適切な任意のフィルタ方法を使用してもよい。
【００３４】
次に図７を参照すると、燃焼／熱交換器デバイス５０は、それぞれ鋼もしくは他の任意の金属などの伝熱材料でできた一対の半体７２および７４を備えている。これらの半体７２および７４は、ねじ付き押さえねじ７６などの一連の留め具によって一体に固定される。別法として、溶接もしくは他の固定構造を使用することも可能である。図に示す実施例では、半体７２および７４はそれぞれ鋼から鋳造されているが、適切な任意の伝熱材料あるいは形成方法を使用することができる。半体７２および７４の各々は、それぞれ部分的燃焼室８２および８４（部分的燃焼室８２については図９参照）を画成する部分的燃焼室部分７８および８０を有し、また、それぞれ部分熱交換経路９０および９２（部分熱交換経路９２については図９参照）を画成する部分的熱交換器部分８６および８８を有している。組み立ての際、この２つの半体７２および７４が一体に結合され、それによって（ａ）部分的燃焼室部分７８および８０が結合されて燃焼／熱交換器デバイス５０の燃焼室部分９４が画成されるとともに、部分的燃焼室８２および８４が結合されて、一括して９６で示す、燃焼室部分９４を通して延びる燃焼室が画成され、また（ｂ）部分的熱交換器部分８６および８８が結合されて熱交換器部分９８が画成されるとともに、部分熱交換経路９０および９２が結合されて、一括して１００で示す、燃焼室９６と連絡した熱交換経路が画成される。
【００３５】
燃焼室９６は、入口ポート１０２を有している。燃料ノズル１０４は、入口ポート１０２の中に受け取られる。燃料ノズル１０４は、従来のタイプの燃料ノズルであり、約４５度の噴射角を有している。噴射ノズル１０４は、細長い管１０８によって、燃焼／熱交換器デバイス５０の後部に取り付けられたソレノイド・マニホルド１０６（図５参照）と連絡している。レギュレータ・ホース６４（図６参照）の近位端は、ソレノイド・マニホルド１０６に接続される。ソレノイド・マニホルド１０６は、燃料サプライ（すなわちプロパン・タンク１２）と燃料ノズル１０４の間の流体連絡を確立し、それによって燃料ノズル１０４への、延いては燃焼室９６への可燃性燃料の引渡しを提供する。ソレノイド・バルブ１１０の形態の燃料レギュレータは、燃料ノズル１０４を介して入口ポート１０２を通して燃料を引き渡すために、ソレノイド・マニホルド１０６を通る燃料の流れを可能にする開位置と、ソレノイド・マニホルド１０６を通って流れる燃料を遮断し、したがって燃料ノズル１０４を介して入口ポート１０２を通って流れる燃料を遮断する閉位置の間を移動する。ソレノイド・バルブ１１０は、バルブをその閉位置に向かってバイアスしているばね（図示せず）を含む。ソレノイド・バルブ１１０はコントローラ７０に電気接続されている。コントローラ７０は通常、電力コード６６が電源に差し込まれると、ソレノイド・バルブ１１０に電力を供給して開位置へ移動させるための電気信号を送信する。本明細書において以下で考察する制御スキームで決定される特定の動作条件の下では、コントローラ７０は、燃料ノズル１０４および燃焼室９６への燃料の流れを遮断するために、ばねにソレノイド・バルブ１１０を閉位置に移動させるように前述の電気信号を遮断する。
【００３６】
上で説明したように、また流れ図で説明するように、フロー・レギュレータすなわちソレノイド１１０は、連続した燃料の流れを燃焼室９６に提供するが、コントローラ７０をプログラムして、動作中、パルス化された（断続した）燃料の流れを入口ポート１０２の燃料ノズル１０４に提供するようにソレノイドを制御してもよい。パルス化された燃料の流れには、燃料を節約するために選択することができる特定のデューティ・サイクルを持たせることができる。当業者には理解されるように、特定の流量およびデューティ・サイクルを、ソレノイドを通って流れる燃料に対して選択することにより、ソレノイド１１０から流出する、燃焼室９６が感知する燃料の流れを連続した流れにすることができる。すなわち、燃料が燃料ノズル１０４を介して断続パルスで引き渡される場合であっても、燃焼室９６への燃料の流れが本質的に連続した流れになるよう、ソレノイドの動作を操作することができる。燃料の流れをパルス化することにより、燃料ノズル１０４の開口をより大きくすることができ、また常に同じ量の燃料を供給することができる。この方法によれば、燃料ノズル１０４の製造をより安価にすることができ、また燃料中に存在する粒子あるいは製造中／アセンブリ・プロセス中に遭遇する可能性のある粒子による閉そくの可能性を少なくすることができる。
【００３７】
例示的実施例では、ソレノイドのデューティ・サイクルを５Ｈｚにし、オン時間を４０ｍｓにすることができる。また平均燃料流量を１４０ｓｃｃｍ（１分当たりの標準立方センチメートル）にし、燃料ノズルの直径を０．２３ｃｍ（０．０９インチ）にすることができる。
【００３８】
加えて図２０に示すように、管６およびバルブ８を有するバルブ・アセンブリを燃料デリバリ装置内に提供してもよく、それによってガスなどの流体もしくは液体を使用して、ソレノイド１１０および燃料ノズル１０４を含む燃料デリバリ装置をフラッシング（洗浄）することもできる。またバルブ・アセンブリは、バルブ・ナット９を含んでいてもよい。詳細には、バルブ・ボディ４は、ハウジング１８の壁に穿たれている孔を通して延びており、壁の一方の側面と係合するフランジ３を有している。ナット９は、バルブ・ボディ４のねじ部分にねじ込まれ、ナット９とフランジ３の間のハウジング壁の係合によってバルブを固着する。バルブの遠位端にキャップ５がねじ込まれ、バルブを保護する。当業者には理解されるように、燃焼室９６への燃料の流れの減少あるいは閉そくの原因になる粒子が燃料中に含まれる可能性があるが、このバルブを使用して、燃料デリバリ装置を加圧ガス（例えば空気）源もしくは液体（例えば水）源に接続することにより、燃料デリバリ装置を通してガスもしくは液体を流すことができ、次に燃焼デバイス５０を通して流し、その後、排気出口から排出することができるため、トラップ・デバイス１０をフラッシングしてあらゆる粒子を除去することができる。またトラップ・デバイス５０に燃料が残っていないことを保証するために、トラップ・デバイス５０を格納する前に燃料デリバリ装置をフラッシングすることが望ましい。実施例では、バルブは、システム内への空気もしくは液体の流入を許容し且つ内側からは密閉する一方向バルブを使用することができる。すなわち、非使用時には、バルブは、システムからの燃料の流出を防止することができる。一例として、バルブ８には、自転車／自動車のタイヤに使用される従来のタイプのバルブ（例えばステム・バルブ）を使用することができる。
【００３９】
また図に示すバルブ・アセンブリは、燃焼デバイス５０およびソレノイド１１０の両方をフラッシングすることができるようにソレノイド１１０の上流側に結合されているが、バルブ・アセンブリは、燃料デリバリ装置内の任意のポイントでシステムに結合することができることを理解されたい。さらに、実施例には複数のバルブ・アセンブリを提供することができる。またバルブは、燃焼室のみがフラッシングされるように燃焼デバイス５０に直接結合してもよい。
【００４０】
ソレノイド・バルブ１１０および／またはバルブの使用は、好ましい機能の１つであり、それには何ら限定されない。
【００４１】
次に図１１〜１５を参照すると、燃焼室９６には、管状スリーブ１１２が取り付けられている。スリーブ１１２内の、燃料ノズル１０４と隣接する側の端部には、比較的薄いディフューザ・プレート１１４が取り付けられている。ディフューザ・プレート１１４は、図１４に最も良好に示す、ディフューザ・プレート１１４を貫通して押し抜かれた複数の開口１１６を有している。これらの開口１１６の押抜きは、ディフューザ・プレート１１４の下流側（燃料の流れに対して）から外側に向かって延びる一連のフランジ１１４ａを形成している。スリーブ１１２内のディフューザ・プレート１１４から下流側には、被覆されていない、触媒に不活性のセラミック・モノリス１１８が、ディフューザ・プレート１１４と間を隔てて配置されている。セラミック・モノリス１１８は、その長さに渡って形成された、本質的に直線の細長い一連のコンジット１２０を有している。図１３は、これらのコンジット１２０を最も良好に示したもので、図に示す実施例には４００個のコンジットが存在しているが、使用するコンジットの数は任意である。最後に、スリーブ１１２内には、セラミック・モノリス１１８から間を隔てて触媒エレメント１２２が配置されている。触媒エレメント１２２は、セラミックでできた、触媒に活性の白金などの材料で被覆されたモノリシック触媒ボディ１２４を備えている。モノリシック触媒ボディ１２４は、モノリス１１８と同様、その長さに渡って形成された、本質的に直線の細長い複数のコンジット１２０を有している。これらのコンジットの分布は、図に示す実施例の触媒ボディ中のコンジットの数が１００個である点を除き、セラミック・モノリス１１８上のコンジットの分布と同様である。使用するコンジットの数は任意である。
【００４２】
スリーブ１１２の管状壁は、管状壁を貫通して形成された孔１２６であって、触媒ボディ１２４とセラミック・モノリス１１８の間に配置された、点火器を受け入れるための孔１２６を有している。組み立て中、スリーブ１１２は、部分的燃焼室８２および８４を一体に結合する前に、スリーブ１１２内にアセンブル済みのディフューザ・プレート１１４、モノリス１１８およびボディ１２４と共に部分的燃焼室８２および８４の一方に配置される。部分的燃焼室部分７８および８０の各々は、部分的燃焼室部分７８および８０の上部エッジに形成された、部分点火器を受け入れるための孔１２８および１３０を有している。この孔１２８および１３０を一体に結合すると、点火器を受け入れるための孔が画成される。スリーブ１１２の点火器受入れ孔１２６は、孔を通して点火器１３４を挿入し、触媒ボディ１２４とセラミック・モノリス１１８の間に配置することができるよう、部分孔１２８および１３０によって画成される点火器受入れ孔と整列している。点火器１３４は、コントローラ７０から引き渡される電気によって電力が供給され、セラミック・モノリス１１８と触媒ボディ１２４の間を流れる燃料／空気混合体を点火する火花を生成する。燃料／空気混合体は、動作中、触媒ボディ１２４へ向かって流れ続け、燃料／空気混合体が燃焼し続ける。この領域は、燃焼点と呼ばれる。この燃焼点は、セラミック・モノリス１１８およびディフューザ・プレート１１４の下流側に位置している。
【００４３】
概して言うと、動作中、触媒ボディ１２４は、触媒ボディ１２４に引き渡される燃料／空気混合体が連続して燃焼することができる温度まで上昇する。つまり、触媒ボディ１２４は、その動作温度では、燃料／空気混合体を燃焼させるだけ十分に熱くなっており、その燃焼が、延いては触媒ボディ１２４の温度を継続的に高い温度に維持する。燃焼中、触媒活性材料によって、燃焼によって得られた排気ガス中のあらゆる一酸化炭素の二酸化炭素への転換が促進される。燃焼は、触媒２４中でも、あるいは触媒ボディ２４の前段でも可能である。
【００４４】
燃焼動作は以下のようにして生じるが、最も良好に理解するために、図１５を参照して説明する。燃料（すなわちプロパン）が燃焼室９６の上流側端部に噴射され、また加圧空気が同じく燃焼室９６の上流側端部に強制的に進められ、燃料と混ざり合う。以下、加圧空気を供給する方法について、加圧空気はファン５４から引き出されるため、ファン５４および熱交換器部分９８の機能および動作を参照して説明する。ファン５４によって燃料と空気の乱れ混合体が生成される。この時点での乱れ（タービュラント）は、燃料と空気の完全な混合を保証するためには望ましいが、燃焼点での乱れは望ましくないため、ディフューザ・プレート１１４は、最初は乱れを抑制するように機能しており、したがって最初は流れを「整え」る。詳細には、混合体は、ディフューザ・プレート１１４を貫通して形成された開口１１６を通って下流側へ流れるため、開口およびとりわけ開口から下流側へ展開しているフランジが、混合体の流れを下流側の方向へ「整列」させ、混合体の乱れを小さくする役割を果たしており、したがって若干ではあるが、より層流に近い流れにしている。混合体は、下流側に連続して流れるため、セラミック・モノリス１１８のコンジット１２０に流入する。これらのコンジット１２０の細長い、本質的に直線の構成によって、本質的にすべての乱れが除去され、燃料／空気混合体の本質的な層流が燃焼点に提供される。燃料および空気は、高度に乱れ状態にある上流側で完全に混ざり合っているため、セラミック・モノリス１１８によって燃焼点に引き渡される混合体は、本質的に均質である。燃焼の間、すべての燃料が燃焼することを保証するためには、均質且つ層流の混合体の流れが望ましい。詳細には、均質な流れによって、燃焼点に存在するすべての燃料および空気の一様な燃焼が提供され、また層流によって、混合体が高度に乱れしている場合に燃焼中に生じるような不燃焼燃料の「ポケット」が排気ガスと共に通過することが防止される。燃料の存在は飛翔昆虫を引き付ける効果を妨げるとされており、実際、忌避剤になる可能性があるため、この構成は最終的な排気ガス中における燃料の存在を回避するために望ましい。
【００４５】
空気燃料混合体は、燃焼によって燃えて加熱排気ガスを生成する。この排気ガスには、とりわけ二酸化炭素および若干の一酸化炭素が含まれている。排気ガスが触媒ボディ１２４を通って流れると、触媒活性材料によって反作用が生じ、排気ガス中に存在している一酸化炭素が二酸化炭素に転換される。また、一般に触媒転換と呼ばれるこの反応による副産物は、排気ガス中に生成される水（蒸気の形の水）である。この反応が生じる過程についてはよく知られており、詳細に説明する必要はない。この反応を提供する理由は、一酸化炭素は、蚊および他の飛翔昆虫に対する忌避剤であることが知られているため、排気ガス中に存在する一酸化炭素を可能な限り除去することである。必ずしもその必要はないが、得られた排気ガスが哺乳動物の発散物、一般的には水の存在によって水気を含んだ発散物をより良好に模倣することになるため、排気ガス中の水の存在は、触媒転換反応による有利な結果である。触媒ボディ１２４を細長い複数のコンジットと共に使用することは、コンジットに被覆されている触媒活性材料への加熱排気ガスの露出が増加する点で有利である。
【００４６】
概して言うと、ディフューザ・プレート１１４およびセラミック・モノリス１１８は、乱れ緩和構造を形成していると言うことができる。この乱れ緩和構造は、図に示す実施例ではコンジット１２０および開口１１６によって構成される、触媒ボディ１２４のコンジットと同じ全体方向に配向された複数の開口を有している。上で考察したように、これらの開口は、前記入口ポートからの燃料の流れを整えるようになされており、それにより燃焼点に到達する前に前記燃料の乱れが緩和される。
【００４７】
絶縁材料１３０が、セラミック・モノリス１１８および触媒ボディ１２４の両方とスリーブ１１２の内部表面の間に提供されることが好ましい。
【００４８】
燃焼室９６は、スリーブ１１２から下流側に、熱交換経路１００に向かって開いた排気ポート１３６を有している。排気ガスは、熱交換経路１００を通って燃焼／熱交換デバイス５０の排気出口１３８へ向かって流れる。排気ガスは、この経路１００に沿って流れるため、熱交換部分９８の伝熱材料へ熱が伝達される。熱交換器部分９８は、複数の垂直開口１４２によって分離された、垂直方向に配向された複数の熱交換フィン１４０を備えている。排気ガスから伝達された熱は、これらのフィン１４０およびファン５４へ導かれ、それによって以下で説明するように開口１４２を通して空気が流れる。これらの開口１４２を通って流れる空気によってフィン１４０が冷却され、排気ガスから伝達された熱が吸収される。最適には、排気ポート１３８から射出する際の排気ガスの温度は、概ね周囲温度でなければならず、４６℃（１１５°Ｆ）以下であることが好ましい。より好ましくは、排気ガスの温度は、周囲温度より華氏で５〜１５度を超える温度であってはならない。したがってプロセスの最終生成物は、哺乳動物の発散物を卓越してシミュレーションする、哺乳動物の典型的な発散物である二酸化炭素および水が存在することによる湿気を含み、且つ概ね周囲温度であるかあるいは周囲温度より若干高い排気ガスである。また触媒転換反応によって、一酸化炭素の存在が最小化され、あるいは除去される。したがって得られる排気ガスは、哺乳動物の肉あるいは血を捕食する蚊および他の飛翔昆虫であって、餌を捜し求めて捕食動物の発散物を「目指して進む」蚊および他の飛翔昆虫を引付けることに卓越している。
【００４９】
次に、ファン５４の機能および動作について説明する。ファン５４は、コントローラ７０によって引き渡される電気信号によって電力が供給される。コントローラ７０は、上で言及したようにコード６６によって引き渡される電力によって電力が供給される。電力コード６６を使用した外部電源への接続は、必ずしも本発明に必要な機能ではなく、ファン５４および他のすべてのコンポーネントを駆動するための電力は、本出願に組み込まれる‘２４３号特許に開示されているように、バッテリ、太陽パネル、あるいは燃焼プロセスからの熱エネルギーの電気エネルギーへの変換などの他の電源から引き出すことができる。
【００５０】
ファン・プレナム５２は、一連の留め具あるいは適切な他の取り付け手段、例えば接着剤もしくはスナップ・フィット機能などによって燃焼／熱交換器デバイス５０に取り付けられる。ファン・プレナム５２は、基本的に燃焼／熱交換器デバイス５０の一方の側を密閉し、且つファン５４を取り付けるための取り付けポイントを提供する。図６に最も良好に示すファン・プレナム５２の大形円形開口１４４は、ファン５４が、ダクト５６を通して昆虫入口ポート２６から、およびメッシュ・バッグ４０のための開口３４から空気を吸い込み、このファン５４から大形円形開口１４４を通して燃焼／熱交換器デバイス１５０の開口１４２へ空気を流すこと、およびフィルタ６１から流出させること可能にしている。したがってファン５４は、フィン１４０を冷却し、且つ昆虫を昆虫入口ポート２６に吸い込むための真空を生成する両方の役割を果たしているが、真空の生成に適した任意のデバイスを使用することができ、図に示す単一ファン５４は、適切な真空デバイスの一実施例にすぎない。また本発明の最も一般的な観点では、真空を生成し、且つ燃焼室に空気を供給するために必ずしもファン５４を使用する必要はない。
【００５１】
ファン・プレナム５２の前方部分には、空気供給部分１４６が取り付けられている。この空気供給部分１４６は、同じく図６に示す対応する空気供給部分１４８を介して燃焼／熱交換器デバイス５０に結合されている。図９から分かるように、部分１４８は、燃焼室９６の上部部分と連絡している上部開口１５０を有している。また図７から分かるように、部分１４８は、燃焼室９６の下部部分と連絡している下部開口１５２を有している。開口１５２は、開口１４２ａ（図１０に示す）を介して燃焼／熱交換器デバイス５０の下流側（ファン５４によって吸い込まれる空気流に対して）に向かって開いており、したがってフィルタ６１と連絡している。開口１５０は、燃焼／熱交換器デバイス５０の空気供給部分１４８を介して燃焼／熱交換器デバイス５０の上流側に向かって開いており、したがってファン・プレナム５２およびファン５４と連絡している。この構造により、ファン５４は、周囲の空気を開口１５０および１５２を介して燃焼室９６を通して強制することにより、周囲の空気を燃焼室９６に引き渡すことができる。このような状況の下で、強制された空気とノズル１０４によって引き渡される燃料が混合され、上で説明したプロセスに従って燃焼する。
【００５２】
図１６は、出口ノズル２８を示したもので、図に示す構造では取り外し可能であるが、必ずしも取り外し可能である必要はない。出口ノズル２８の上端部は、それぞれ形状が本質的にＬ字形である一対のラグ受取りスロット１５４を有している。これらのラグ受取りスロット１５４は、燃焼／熱交換器デバイス５０の排気出口ポート１３８の内部周囲に提供されたラグ１５６への出口ノズル２８の取り付けを可能にしている。図９および図１０にこれらのラグ１５６が最も良好に示されている。出口ノズル２８は、ラグ受取りスロット１５４の開端部とラグ１５６を整列させ、ラグ１５６がラグ受取りスロット１５４の底部に到達するまで出口ノズル２８を軸方向に上向きに移動させ、また出口ノズル２８を時計方向に回転させることによって取り付けられる。
【００５３】
補助昆虫誘引剤エレメント１６０が、出口ノズル２８の下端部に取り付けられる。昆虫誘引剤エレメント１６０は、ハウジング１６２、およびハウジング１６０の開いた底端部を閉じるためのキャップ１６４を有している。キャップ１６４は、キャップ１６４をハウジング２２内に解放可能に固着するためのスナップ・イン・エレメント１６５を有している。ハウジングの内部で使用する昆虫誘引剤には、蚊もしくは他の飛翔昆虫の引付けを促進する哺乳動物の臭いを模倣するオクテノルもしくは他の任意の物質を使用することができる。ハウジング１６２は、昆虫誘引剤と排気ガスを混合し、排気流の一部にすることができる複数の開口１６６を有している。ハウジング１６２は、内側にねじが切られた、吸込みノズル２２の開口１７０と整列する一対の部分１６８を有している。一対のねじ１７２がこれらの開口およびねじ付き部分１６８に挿入され、ハウジング１６２が取り外し可能に取り付けられる。必要に応じて、出口ノズル２８を取り外し、且つハウジングの内部にアクセスするためにキャップ１６４を開くことによって、昆虫誘引剤を除去し、交換することができる。
【００５４】
次に図１７〜１９を参照すると、本発明の原理による例示的流れ図を参照してコントローラ７０が説明されている。２０２で示すように飛翔昆虫トラップ・デバイス１０を作動させると、コントローラ７０は、２０４でファン５４を作動させ、ファンの診断チェックを実行する。ファンの診断チェックの結果が不合格であるか、あるいはファン５４を作動させることができない場合、コントローラ７０はシステム１０を停止し、ファン５４に異常があることを使用者に知らせる。ファン５４が作動し、診断試験に合格すると、コントローラ７０は、２０６で示すように時間０の間待機して、２０８でソレノイド１１０を開き、点火器１３４を作動させて、システムの残りの部分の診断試験を実行する。システムの残りの部分の診断試験には、例えば点火器、サーミスタ、ソレノイド、バグ・バッグ・スイッチ等の試験が含まれる。この場合も、２０８の診断試験の結果が不合格である場合、コントローラは、２２２で示すように、試験の結果が不合格であったことを使用者に知らせる。
【００５５】
コントローラ７０は次に、２１０でシステムの温度をチェックし、２１２で示すように、７分以内に温度Ｔ１に到達するとプロセスを継続する。しかし、７分以内に温度Ｔ１に到達しない場合、プロセスは２２４へ進行し、時間２の間ファン５４が作動されたままとされ、ソレノイド１１０が閉じられ、点火器１３４が閉じられて、時間２の間システムのオン機能が使用不可とされ、コントローラ７０は、タンクにガスが入っていないことを使用者に知らせる。２１２の温度試験に合格すると、２１４で点火器が停止し、２１６でシステムの温度が再度チェックされる。時間４以内に温度Ｔ２に到達すると、プロセスは２１８へ進行し、正規モードでコントローラが動作し、周期的に温度がチェックされる。時間４以内に温度Ｔ２に到達しない場合、コントローラは、上で説明した２２４の動作を実行し、タンク１２にガスが入っていないことを使用者に知らせる。
【００５６】
コントローラは、正規動作モード２１８の下で、温度がＴ２とＴ３の間であることを確認し、温度がＴ２とＴ３の間である場合、システムは正規の動作を継続する。温度がＴ２とＴ３の間ではない場合、システム１０は、図１８を参照して説明する温度維持プロセスへ進行する。
【００５７】
図１８は、システムの温度がＴ２とＴ３の間ではない場合に生じ得る２つの可能性のある状況を示したものである。第１のケース２２８は、システムの温度がＴ３を超えて上昇した場合のケースである。この状況では、コントローラ７０は、２３０で示すように、時間２の間ソレノイドを停止する。次に、コントローラは、２３２で示すように、ソレノイド１１０を作動させ、点火器１３４を作動させてシステムの温度をチェックする。システムの温度が時間１以内にＴ１まで上昇しない場合（２３４で示すように）、コントローラは、２２４に関連して既に説明したように、ガス・タンクが空であることを使用者に知らせる。温度がＴ１まで上昇すると、コントローラ７０は、２３６で示すように、点火器１３４を停止して温度をチェックする。この場合も、２３８で示すように、システムの温度が時間３以内にＴ２に到達しない場合、ガス・タンク１２が空であることを示す動作２２４が生じることになる。所定の時間内に温度Ｔ２に到達すると、コントローラは、時間４の間に温度Ｔ３に到達しないことを確認し（２４０で示す）、システムを正規動作モード２１８に戻す。しかし、温度がＴ４以内にＴ３を超えて上昇すると、ファンは、時間２の間作動状態を維持され、ソレノイド１１０が閉じられる。コントローラは、温度が高すぎることを使用者に知らせる。
【００５８】
第２のケース２４４は、システム１０の温度がＴ２未満の場合のケースである。このケースの場合、２４６で示すように、点火器１３４が作動され、コントローラ７０は、システム１０の温度をチェックする。２４８で、システムの温度が上昇している場合、コントローラ７０は、システムを正規動作モード２１８に戻す。システムの温度が上昇していない場合、コントローラ７０は、既に説明したように、ガス・タンク１２が空であることを使用者に知らせる。
【００５９】
図１９は、システム１０を停止するための例示的制御を示したものである。３０２で示すように、システム１０を停止すると、コントローラ７０は、３０４で示すように、時間２の間ファン５４を作動状態に放置し、ソレノイド１１０を閉じ、点火器１３４を閉じて、時間２の間オン機能を停止する。
【００６０】
上で説明した温度Ｔ１、Ｔ２およびＴ３は、前述の例示的実施例の場合、それぞれ３１６℃（華氏６００度）、４２７℃（華氏８００度）および５３８℃（華氏１０００度）であり、時間０、時間１、時間２、時間３および時間４に関しては、それぞれ３分、２分、５分、４分および５分である。上記温度および時間は、単なる例示的なものにすぎず、本発明は、これらの値に何ら制限されない。実際、これらの時間および温度には任意の値を選択することができる。
【００６１】
概して言うと、コントローラは、様々な機能を実行することができ、上で説明した機能は、コントローラ７０のための意図するいくつかの動作方法のうちの一実施例たらんことを意図したものである。通常、コントローラ７０は、システム１０を動作させるためのものであり、その動作には、図１７〜１９に示すステップ、すなわち上で説明したステップの各々が必ずしも含まれている必要はない。
【００６２】
上で説明した実施例は、本発明の機能的および構造的原理を例証するためのものであり、本発明を何ら制限するものではない。その逆に、本発明は、あらゆる代替、追加、置換および等価物を特許請求の範囲の精神および範囲に包含するように意図されている。
【図面の簡単な説明】
【００６３】
【図１Ａ】２０００年の世界のデング熱の分布を示す地図である。
【図１Ｂ】アメリカにおけるデング熱症例の最近の増加を示す比較地図である。
【図１Ｃ】１９６４年と１９９７年の間に米国で確認されたヒト・ラクロス脳炎症例および推定ヒト・ラクロス脳炎症例の分布を示す地図である。
【図１Ｄ】１９６４年と１９９８年の間に米国で確認されたヒト・セントルイス脳炎症例および推定ヒト・セントルイス脳炎症例の分布を示す地図である。
【図１Ｅ】１９６４年と１９９７年の間に米国で確認されたヒト西部ウマ脳炎症例および推定ヒト西部ウマ脳炎症例の分布を示す地図である。
【図１Ｆ】１９６４年と１９９７年の間に米国で確認されたヒト東部ウマ脳炎症例および推定ヒト東部ウマ脳炎症例の分布を示す地図である。
【図２】本発明の原理に従って構築されたデバイスの斜視図である。
【図３】図１に示すデバイスの正面図である。
【図４】図１に示すデバイスのハウジングの頂部シェルの斜視図である。
【図５】図１に示すデバイスの頂部シェルを取り外したハウジングの斜視図である。
【図６】ハウジングに関連するコンポーネントの分解組立図である。
【図７】図１に示すデバイスに使用される燃焼／熱交換器デバイスの分解組立図である。
【図８】図７に示す燃焼／熱交換器デバイスを外部から見た右側半分の斜視図である。
【図９】図７に示す燃焼／熱交換器デバイスを内部から見た右側半分の斜視図である。
【図１０】図７に示す燃焼／熱交換器デバイスを外部から見た左側半分の斜視図である。
【図１１】図１２の線Ａ−Ａに沿って取った横断面図である。
【図１２】図７に示す燃焼／熱交換器デバイスに使用されるスリーブの上面図である。
【図１３】図１１の線Ｂ−Ｂに沿って取った横断面図である。
【図１４】図１１に示すスリーブに使用されるディフューザ・プレートの端面図である。
【図１４Ａ】図１４の線Ｃ−Ｃに沿って取ったディフューザ・プレートの断面図である。
【図１４Ｂ】図１４Ａに示す主題の個別図である。
【図１５】燃焼／熱交換器デバイス内のコンポーネントのレイアウトを示す略図である。
【図１６】図１に示すデバイスの出口ノズルおよび関連するコンポーネントの分解組立図である。
【図１７】本発明の原理によるコントローラの例示的流れ図である。
【図１８】本発明の原理によるコントローラの例示的流れ図である。
【図１９】本発明の原理によるコントローラの例示的流れ図である。
【図２０】本発明の原理に従って構築されたバルブを備えたデバイスの他の実施例の略図である。
【図１Ａ】
2007500515.tif 000003
【図１Ｂ】
2007500515.tif 000004
【図１Ｃ】
2007500515.tif 000005
【図１Ｄ】
2007500515.tif 000006
【図１Ｅ】
2007500515.tif 000007
【図１Ｆ】
2007500515.tif 000008
【図２】
2007500515.tif 000009
【図３】
2007500515.tif 000010
【図４】
2007500515.tif 000011
【図５】
2007500515.tif 000012
【図６】
2007500515.tif 000013
【図７】
2007500515.tif 000014
【図８】
2007500515.tif 000015
【図９】
2007500515.tif 000016
【図１０】
2007500515.tif 000017
【図１１】
2007500515.tif 000018
【図１２】
2007500515.tif 000019
【図１３】
2007500515.tif 000020
【図１４】
2007500515.tif 000021
【図１４Ａ】
2007500515.tif 000022
【図１４Ｂ】
2007500515.tif 000023
【図１５】
2007500515.tif 000024
【図１６】
2007500515.tif 000025
【図１７】
2007500515.tif 000026
【図１８】
2007500515.tif 000027
【図１９】
2007500515.tif 000028
【図２０】
2007500515.tif 000029
【国際調査報告】
2007500515.tif 000030
2007500515.tif 000031